(57)【要約】【課題】スペース的にコンパクトな状態で製氷量を増大できるものでありながら、氷掻き取り部材の交換や修理ならびに保守点検作業を容易に行えるようにする。【解決手段】冷却用流体を流動する冷却空間を有するとともに冷却空間とは反対側に鉛直方向を向いた氷生成面Ｆを形成した氷生成部材１と、回転体１３に氷掻き取り羽根１４を取り付けて構成した氷掻き取り部材２の複数個を交互になる状態で水平方向に並設し、その並設方向を向いた軸芯周りで回転可能に回転体１３を設ける。回転軸芯から離れた回転体１３の外周面にプーリー１６を形成し、そのプーリーと電動モータに設けた主動プーリーとにわたって伝動ベルト１９を巻き掛け、氷掻き取り部材２を個別に駆動するように構成し、氷掻き取り部材２を、隣り合う氷生成部材１，１間から鉛直方向に挿脱できるようにする。【選択図】        図２
2004239489.tif 000002
【特許請求の範囲】
【請求項１】
冷却用流体を流動する冷却空間を有するとともに前記冷却空間とは反対側に鉛直方向を向いた氷生成面を形成した氷生成部材と、前記氷生成面に生成された氷を掻き取る氷掻き取り部材とから成る製氷機において、
前記氷掻き取り部材を、回転体に氷掻き取り羽根を取り付けて構成し、前記氷生成部材と前記氷掻き取り部材とが交互になる状態で、両部材の複数個を水平方向に並設するとともに、その並設方向を向いた軸芯周りで回転可能に前記回転体を設け、かつ、前記回転軸芯から離れた前記回転体の外周面に作用して個別に駆動する回転駆動機構を設けるとともに、前記氷掻き取り部材を、隣り合う前記氷生成部材間から鉛直方向に挿脱可能に設け、隣り合う前記氷生成部材間に被冷却液を供給する入口を設けるとともに、入口と離れた位置に、氷を含んだ氷含有液体を取り出す出口を設けたことを特徴とする製氷機。
【請求項２】
請求項１に記載の製氷機において、
氷掻き取り羽根を、回転軸芯側より外周側ほど回転体の回転方向の後方側になるように前記回転体に取り付け、回転に伴って氷含有流体を前記回転体の外周方向に移送するように構成してある製氷機。
【請求項３】
請求項１または２に記載の製氷機において、
氷生成部材が、その並設方向の両側外周の鉛直面を氷生成面に形成したものであり、かつ、氷掻き取り部材が、回転体の並設方向の両側に氷掻き取り羽根を設けたものである製氷機。
【請求項４】
請求項１、２、３のいずれかに記載の製氷機において、
回転駆動機構が、氷掻き取り部材の外周に、プーリーまたはスプロケットを付設し、前記プーリーまたはスプロケットと駆動モータの駆動回転軸とを伝動ベルトまたはチェーンを介して連動連結したものである製氷機。
【請求項５】
請求項１、２、３のいずれかに記載の製氷機において、
回転駆動機構が、氷掻き取り部材の外周全周にわたって従動ギアを付設し、前記従動ギアに、駆動モータによって駆動回転する主動ギアを咬合したものである製氷機。
【発明の詳細な説明】
【０００１】
【発明の属する技術分野】
本発明は、冷却用流体を流動する冷却空間を有するとともに冷却空間とは反対側に鉛直方向を向いた氷生成面を形成した氷生成部材と、氷生成面に生成された氷を掻き取る氷掻き取り部材とから成る製氷機に関する。
【０００２】
【従来の技術】
この種の製氷機としては、従来、特許文献１に開示されているものが知られている。
この従来例によれば、外側に熱交換面を設けた熱交換器がハウジング内に設けられ、熱交換器間に円板が設けられるとともに、その円板に、熱交換面に作用するブレードが設けられ、熱交換器の円中心箇所を貫通してモータのシャフトが設けられ、そのシャフトに円板が取り付けられ、ブレードを駆動回転するように構成されている。
【０００３】
【特許文献１】
特許第２８１１４４３号明細書
【０００４】
上述のような従来例の場合、熱交換器の熱交換面の面積を大きくすることで、スペース的にコンパクトな状態で製氷量を増大できる利点を有し、また、熱交換器およびブレードの個数を増やすことで、製氷量のより一層の増大に対処できる利点を有している。
【０００５】
【発明が解決しようとする課題】
しかしながら、熱交換器およびブレードの個数が増えるに伴い、ブレードを駆動回転するシャフトの長さが長くなり、ブレードが破損して交換や修理が必要になったときとか保守点検のために、シャフトを引き抜くためのスペースを確保しなければならず、コンパクトさが損なわれる不都合があった。
【０００６】
また、長いシャフトを引き抜くために、交換や修理ならびに保守点検作業に手間を要する欠点があった。
更に、ひとつのシャフトで駆動回転しているために、ブレードの一部が破損したときに、その破損を検出することが困難であり、また、どのブレードが破損したかを特定しづらく、交換や修理作業に手間を要する欠点があった。
【０００７】
本発明は、このような事情に鑑みてなされたものであって、請求項１に係る発明は、スペース的にコンパクトな状態で製氷量を増大できるものでありながら、氷掻き取り部材の交換や修理ならびに保守点検作業を容易に行えるようにすることを目的とし、また、請求項２に係る発明は、氷含有流体の円滑に取り出すとともに製氷効率を向上できるようにすることを目的とし、また、請求項３に係る発明は、組付け点数少なく製氷量を増大できるようにすることを目的とする。
【０００８】
【課題を解決するための手段】
請求項１に係る発明は、上述のような目的を達成するために、
冷却用流体を流動する冷却空間を有するとともに前記冷却空間とは反対側に鉛直方向を向いた氷生成面を形成した氷生成部材と、前記氷生成面に生成された氷を掻き取る氷掻き取り部材とから成る製氷機において、
前記氷掻き取り部材を、回転体に氷掻き取り羽根を取り付けて構成し、前記氷生成部材と前記氷掻き取り部材とが交互になる状態で、両部材の複数個を水平方向に並設するとともに、その並設方向を向いた軸芯周りで回転可能に前記回転体を設け、かつ、前記回転軸芯から離れた前記回転体の外周面に作用して個別に駆動する回転駆動機構を設けるとともに、前記氷掻き取り部材を、隣り合う前記氷生成部材間から鉛直方向に挿脱可能に設け、隣り合う前記氷生成部材間に被冷却液を供給する入口を設けるとともに、入口と離れた位置に、氷を含んだ氷含有液体を取り出す出口を設けて構成する。
【０００９】
（作用・効果）
請求項１に係る発明の製氷機の構成によれば、回転体の外周面に作用して個別に駆動することにより氷掻き取り部材を回転駆動し、氷掻き取り部材を回転駆動するのに、従来のような回転体の回転軸芯箇所を貫通して複数個の回転体を一体的に駆動する駆動軸を無くす。
したがって、従来のような駆動軸に邪魔されることなく、氷掻き取り部材を個別に氷生成部材間から挿脱することができ、スペース的にコンパクトな状態で製氷量を増大できるものでありながら、氷掻き取り部材の交換や修理ならびに保守点検作業を容易に行うことができる。
しかも、氷掻き取り部材を個別に回転駆動するから、氷掻き取り羽根の破損などにより回転不良を生じた場合に、その氷掻き取り部材を容易に特定でき、氷掻き取り部材の交換や修理を容易迅速に行うことができる。
【００１０】
請求項２に係る発明は、前述のような目的を達成するために、
請求項１に記載の製氷機において、
氷掻き取り羽根を、回転軸芯側より外周側ほど回転体の回転方向の後方側になるように前記回転体に取り付け、回転に伴って氷含有流体を前記回転体の外周方向に移送するように構成する。
【００１１】
（作用・効果）
請求項２に係る発明の製氷機の構成によれば、氷生成面に生成される氷を氷掻き取り羽根により掻き取るとともに、氷生成面から離脱された氷を回転体の外周側に移送する。
したがって、氷を回転体の外周に移送し、その外周箇所から円滑に取り出すことができ、かつ、氷生成面に氷を付着させず、氷生成面から被冷却液への伝熱効率を高くして氷の生成を促進することができ、製氷効率を向上できる。
また、複数に分流する被冷却液の流量を均一化することにより、氷の含有率が部分的に高くなることによる氷着を防ぐことができる。
【００１２】
請求項３に係る発明は、前述のような目的を達成するために、
請求項１または２に記載の製氷機において、
氷生成部材を、その並設方向の両側外周の鉛直面を氷生成面に形成して構成し、かつ、氷掻き取り部材を、回転円板の並設方向の両側に氷掻き取り羽根を設けて構成する。
【００１３】
（作用・効果）
請求項３に係る発明の製氷機の構成によれば、一度に、両面を氷生成面にした氷生成部材と、二面の氷生成面に作用する氷掻き取り部材とを組付けることができる。
したがって、組付け点数少なく製氷量を増大でき、製氷機の能力増大に容易に対処できる。
【００１４】
氷掻き取り部材を駆動する回転駆動機構の構成としては、氷掻き取り部材の外周に、プーリーまたはスプロケットを付設し、プーリーまたはスプロケットと駆動モータの駆動回転軸とを伝動ベルトまたはチェーンを介して連動連結する構成（請求項４）や、氷掻き取り部材の外周全周にわたって従動ギアを付設し、前記従動ギアに、駆動モータによって駆動回転する主動ギアを咬合する構成（請求項５）など、各種の構成が採用できる。
【００１５】
【発明の実施の形態】
次に、本発明の実施例を図面に基づいて詳細に説明する。
【００１６】
図１は、本発明に係る製氷機の第１実施例の一部省略全体正面図であり、氷生成部材１と氷掻き取り部材２とが交互に水平方向に並設されるとともに、その並設方向の両端から第１の固定板３と第２の固定板４とを４本の固定ロッド５と固定ナット６とにより締め付け固定することにより固定されて製氷機が構成されている。
【００１７】
第１の固定板３に、第１の貫通口７が設けられるとともに、その第１の貫通口７に連通するように、水や水溶液などの被冷却液を供給する入口としての供給管８が付設されている。また、氷生成部材１の中央箇所に、第１の貫通口７に連なるように第２の貫通口９が形成され、隣り合う氷生成部材１間の空間に被冷却液としてのブライン溶液を供給できるように構成されている。
【００１８】
氷掻き取り部材２には、氷含有流体を取り出す氷含有流体取り出し管１０が付設され、それらの氷含有流体取り出し管１０がフランジ連結され、氷含有流体を機外に取り出すように構成されている。
【００１９】
氷生成部材１の下部には、冷却用流体としてフロンガスなどの低温冷媒を供給する流入管１１が付設され、一方、上部には冷却用流体を排出する流出管１２が付設されている。
【００２０】
氷掻き取り部材２は、図２の要部の断面図、および、図３の側面図に示すように、回転体１３の氷掻き取り部材２並設方向両側それぞれに氷掻き取り羽根１４を取り付けて構成されている。回転体１３が側面視Ｕ字状の支持部材１５に回転可能に支持されるとともに、支持部材１５の回転体１３の外周面と接触する箇所がテフロン（デュポン社商標）加工により摩擦力が低減され、支持部材１５との間での摺動抵抗少なく、回転体１３を回転できるように構成されている。
【００２１】
回転体１３の厚み方向の中央箇所にプーリー１６が形成されている。支持部材１５の上部に駆動モータとしての電動モータ１７が取り付けられ、その電動モータ１７の駆動軸に取り付けられた主動プーリー１８と回転体１３とにわたって伝動ベルト１９が巻き掛けられている。また、支持部材１５の上方側に、回転体１３の上方への移動を阻止しながら回転を案内するガイドローラ２０が設けられている。上記プーリー１６、電動モータ１７、主動プーリー１８および伝動ベルト１９から成る構成をして回転駆動機構と総称する。駆動モータとして上記電動モータ１７に代えて油圧モータなどを用いても良い。また、プーリー１６および主動プーリー１８それぞれに代えてスプロケットおよび主動スプロケットに構成し、かつ、伝動ベルト１９に代えてチェーンを用い、回転駆動機構を構成するようにしても良い。
【００２２】
氷掻き取り羽根１４が、回転軸芯Ｐ側より外周側ほど回転体１３の回転方向の後方側になるように回転体１３に取り付けられ、支持部材１５の所定箇所に、回転体１３の外周のほぼ接線方向に向かうように、氷含有流体取り出し管１０に接続される氷含有流体の出口２１が設けられている。
【００２３】
これにより、氷掻き取り部材２の回転に伴って、氷掻き取り羽根１４により、氷生成部材１の氷生成面Ｆに生成された氷を掻き取るとともに、氷生成面Ｆから離脱された氷を回転体１３の外周側に移送し、その外周箇所から円滑に取り出すことができ、かつ、氷生成面に氷を付着させず、氷生成面Ｆから被冷却液への伝熱効率を高くして氷の生成を促進し、製氷効率を向上できるようになっている。図中２２は、被冷却液を供給する連通口を示している。
【００２４】
氷生成部材１は、図４の側面図、および、図５の断面図（図４のＡ―Ａ線断面図）に示すように、水平方向に凹凸が並ぶように形成したアルミ製の波板２３の２枚を重ね、それらの両外面にステンレスクラッド製の円板２４をろう付けにより一体化して冷却用流体を流す冷却空間Ｓが形成されるように構成されている。これにより、冷却空間Ｓとは反対側の両面となる円板２４，２４それぞれの外面側に鉛直方向を向いた氷生成面Ｆが形成され、氷生成面Ｆを形成するための粗度を容易に形成できるようになっている。図示しないが、波板２３の第２の貫通口９に臨む箇所は閉塞され、その近傍において凹凸の縦板部分に連通孔が形成され、冷媒を上方に円滑に流動するように構成されている。
【００２５】
氷生成部材１の外周が、下側半円部分の流入管１１と上側半円部分の流出管１２とで囲まれ、更に、それらの外周側が第１および第２の支持材２５，２６で囲まれている。
【００２６】
図４に示すように、氷生成部材１および氷掻き取り部材２の下面が台座２７に支持されるとともに、第１の固定板３と並設方向一端側の第１および第２の支持材２５，２６、第１および第２の支持材２５，２６と支持部材１５、ならびに、並設方向他端側の第１および第２の支持材２５，２６と第２の固定板４それぞれの接触面箇所にシール部材（図示せず）が介装されている。
【００２７】
台座２７に支持した状態で、上方側の２本の固定ロッド５が、平面視において、氷生成部材１および氷掻き取り部材２と重複しない位置に設けられ、固定ナット６を緩めるとともに氷含有流体取り出し管１０の連結を解除することにより、氷生成部材１および氷掻き取り部材２それぞれを個別に上方に挿脱できるように構成されている。
また、図示しないが、電動モータそれぞれに、過負荷を検出する負荷検出計が設けられるとともに、その負荷検出計に警報ランプなどの警報装置が接続され、氷掻き取り羽根の破損等に起因する過負荷を検出するに伴ってランプ点灯（あるいは点滅）などにより警報を発し、過負荷を生じた氷掻き取り部材２を容易に特定できるように構成されている。
【００２８】
上記構成により、負荷検出計により過負荷が検出された氷掻き取り部材２だけを容易に抜き出して修理や交換を行うことができ、また、保守点検のために氷生成部材１および氷掻き取り部材２それぞれを個別に容易に挿脱できるようになっている。
【００２９】
図６は、本発明に係る製氷機の第２実施例の要部の断面図、図７は第２実施例の氷掻き取り部材の側面図であり、第１実施例と異なるところは、次の通りである。
【００３０】
すなわち、回転体１３の外周全周にわたって従動ギア３１が付設され、一方、電動モータ１７に主動ギア３２が取り付けられ、従動ギア３１に主動ギア３２が咬合され、氷掻き取り部材２を個別に回転駆動するように回転駆動機構が構成されている。他の構成は第１実施例と同じであり、同一図番を付してその説明は省略する。
【００３１】
図８は、本発明に係る製氷機の第３実施例の要部の断面図であり、第１実施例と異なるところは、次の通りである。
【００３２】
すなわち、氷生成部材４１が、氷生成部材４１の並設方向の一方にのみ氷生成面Ｆを備えるとともに他方には断熱材４２を設けて構成され、また、氷掻き取り部材４３が、回転体４４の一方側にのみ氷掻き取り羽根４５を取り付けて構成されている。他の構成は第１実施例と同じであり、同一図番を付してその説明は省略する。
【００３３】
この第３実施例によれば、同一の氷生成部材４１と氷掻き取り部材４３とを交互に並設していくことにより製氷量の増大に対処しながら製氷機を構成でき、製作が容易となる利点を有している。
【００３４】
上記実施例では、冷却空間Ｓ内にフロンガスなどの低温冷媒を供給するようにしているが、例えば、気体と液体とに相変化しない低温の液体あるいはガスを冷却用流体として供給するようにしても良い。
【００３５】
【発明の効果】
以上説明したように、請求項１に係る発明の製氷機の構成によれば、回転体の外周面に作用して個別に駆動することにより氷掻き取り部材を回転駆動し、氷掻き取り部材を回転駆動するのに、従来のような回転体の回転軸芯箇所を貫通して複数個の回転体を一体的に駆動する駆動軸を無くすから、従来のような駆動軸に邪魔されることなく、氷掻き取り部材を個別に氷生成部材間から挿脱することができ、スペース的にコンパクトな状態で製氷量を増大できるものでありながら、氷掻き取り部材の交換や修理ならびに保守点検作業を容易に行うことができる。しかも、氷掻き取り部材を個別に回転駆動するから、氷掻き取り羽根の破損などにより回転不良を生じた場合に、その氷掻き取り部材を容易に特定でき、氷掻き取り部材の交換や修理を容易迅速に行うことができる。
【図面の簡単な説明】
【図１】本発明に係る製氷機の第１実施例の一部省略全体正面図である。
【図２】要部の断面図である。
【図３】氷掻き取り部材の側面図である。
【図４】要部の一部切欠側面図である。
【図５】図４のＡ−Ａ線断面図である。
【図６】本発明に係る製氷機の第２実施例の要部の断面図である。
【図７】第２実施例の氷掻き取り部材の側面図である。
【図８】本発明に係る製氷機の第３実施例の要部の断面図である。
【符号の説明】
１…氷生成部材
２…氷掻き取り部材
１３…回転体
１４…掻き取り羽根
１６…プーリー
１７…電動モータ（駆動モータ）
１８…主動プーリー
１９…伝動ベルト
２１…出口
３１…従動ギア
３２…主動ギア
４１…氷生成部材
４３…氷掻き取り部材
４４…回転体
４５…掻き取り羽根
Ｓ…冷却空間
Ｆ…氷生成面
【図１】
2004239489.tif 000003
【図２】
2004239489.tif 000004
【図３】
2004239489.tif 000005
【図４】
2004239489.tif 000006
【図５】
2004239489.tif 000007
【図６】
2004239489.tif 000008
【図７】
2004239489.tif 000009
【図８】
2004239489.tif 000010